(57)【要約】【課題】それぞれ独立して上下方向の風向角度を変更することが可能な複数の風向変更羽根が吹出口に設けられた空気調和装置の天井設置型室内ユニットにおいて、運転の開始時に、空調室内に居る人の不快感を抑える。【解決手段】空気調和装置１の天井設置型室内ユニット４は、吹出口５６を有するケーシング５１と、複数の風向変更羽根７１ａ、７１ｂ、７１ｃ、７１ｄと、制御部９とを有している。複数の風向変更羽根７１ａ、７１ｂ、７１ｃ、７１ｄは、吹出口５６に設けられており、それぞれ独立して上下方向の風向角度を変更することが可能である。制御部９の制御手段９１は、運転の開始時に、各風向変更羽根７１ａ、７１ｂ、７１ｃ、７１ｄの風向角度を空調空気が水平方向に吹き出す風向角度である水平吹き風向Ｐ０に設定し、その後、各風向変更羽根７１ａ、７１ｂ、７１ｃ、７１ｄの風向角度を所望の風向設定に変更する。【選択図】図１１
2011153725.tif 000002
【特許請求の範囲】
【請求項１】
空調室の天井に設けられる空気調和装置の天井設置型室内ユニットであって、
空調空気を前記空調室内に吹き出す吹出口（５６）を有するケーシング（５１）と、
前記吹出口に設けられており、それぞれ独立して上下方向の風向角度を変更することが可能な複数の風向変更羽根（７１ａ、７１ｂ、７１ｃ、７１ｄ）と、
前記各風向変更羽根の風向角度を設定することが可能な制御手段（９１）を有する制御部（９）とを備え、
前記制御手段は、運転の開始時に、前記各風向変更羽根の風向角度を前記空調空気が水平方向に吹き出す風向角度である水平吹き風向に設定し、その後、前記各風向変更羽根の風向角度を所望の風向設定に変更する、
空気調和装置の天井設置型室内ユニット（４）。
【請求項２】
前記制御手段（９１）は、運転の開始から所定時間が経過した後に、前記各風向変更羽根（７１ａ、７１ｂ、７１ｃ、７１ｄ）の風向角度が前記水平吹き風向に設定された状態を終了する、請求項１に記載の空気調和装置の天井設置型室内ユニット（１）。
【請求項３】
前記制御部（９）は、前記各風向変更羽根（７１ａ、７１ｂ、７１ｃ、７１ｄ）の風向設定を記憶することが可能な記憶手段（９２）をさらに有し、
前記記憶手段は、前記各風向変更羽根の風向設定を記憶風向として記憶し、
前記制御手段は、運転の開始時に前記各風向変更羽根の風向角度の変更が要求されている場合には、前記所望の風向設定として、前記各風向変更羽根の風向角度を前記変更が要求された風向設定である要求風向に変更し、運転の開始時に前記各風向変更羽根の風向角度の変更が要求されていない場合には、前記所望の風向設定として、前記各風向変更羽根の風向角度を前記記憶風向に変更する、
請求項１又は２に記載の空気調和装置の天井設置型室内ユニット（４）。
【請求項４】
前記要求風向は、手動により設定される前記各風向変更羽根（７１ａ、７１ｂ、７１ｃ、７１ｄ）の風向角度、前記空調室内における人の分布を検知する人検知センサ（６２）により設定される前記各風向変更羽根の風向角度、前記空調室内における床面の温度を検知する床温度センサ（６３）により設定される前記各風向変更羽根の風向角度、又は、前記ケーシング内に吸入される前記空調室内の空気の温度を検知する吸入空気温度センサ（６１）により設定される前記各風向変更羽根の風向角度である、請求項３に記載の空気調和装置の天井設置型室内ユニット（４）。
【請求項５】
前記制御手段（９１）は、複数の運転モードのうちの１つを選択して設定することが可能であり、
前記記憶手段（９２）は、前記記憶風向とともに、前記運転モードを記憶運転モードとして記憶し、
前記制御手段は、前記各風向変更羽根（７１ａ、７１ｂ、７１ｃ、７１ｄ）の風向角度を、運転の開始時に設定された運転モードと同じ前記記憶運転モードにおける前記記憶風向に変更する、
請求項３又は４に記載の空気調和装置の天井設置型室内ユニット（４）。
【請求項６】
前記ケーシング（５１）内には、前記空調空気の風量を変更することが可能な送風ファン（４１）が設けられており、
前記制御手段（９１）は、前記送風ファンの風量を設定することが可能であり、
前記記憶手段（９２）は、前記記憶風向とともに、前記送風ファンの風量設定を記憶風量として記憶し、
前記制御手段は、前記各風向変更羽根の風向角度を前記記憶風向に変更する時に、前記送風ファンの風量を前記記憶風量に変更する、
請求項３〜５のいずれか１項に記載の空気調和装置の天井設置型室内ユニット（４）。
【請求項７】
前記制御手段（９１）は、前記複数の運転モードの１つである前記空調室内の暖房を行う暖房モードにおける運転の開始時に、前記各風向変更羽根（７１ａ、７１ｂ、７１ｃ、７１ｄ）の風向角度を前記水平吹き風向に設定するとともに、前記送風ファン（４１）の風量を風量変更範囲の下限である最小風量に設定する、
請求項６に記載の空気調和装置の天井設置型室内ユニット（４）。
【請求項８】
前記制御手段（９１）は、前記暖房モードにおける運転の開始時に、除霜運転又は前記吹出口（５６）から吹き出される空調空気の温度を急速に高める速暖運転が要求されている場合には、前記除霜運転又は前記速暖運転が終了した後に、前記各風向変更羽根（７１ａ、７１ｂ、７１ｃ、７１ｄ）の風向角度を前記水平吹き風向に変更する、請求項７に記載の空気調和装置の天井設置型室内ユニット（４）。
【請求項９】
前記制御手段（９１）は、前記除霜運転時又は前記速暖運転時に、前記各風向変更羽根（７１ａ、７１ｂ、７１ｃ、７１ｄ）の風向角度を前記水平吹き風向に設定する、請求項８に記載の空気調和装置の天井設置型室内ユニット（４）。
【発明の詳細な説明】
【技術分野】
【０００１】
本発明は、空気調和装置の天井設置型室内ユニット、特に、それぞれ独立して上下方向の風向角度を変更することが可能な複数の風向変更羽根が吹出口に設けられた空気調和装置の天井設置型室内ユニットに関する。
【背景技術】
【０００２】
従来より、特許文献１（特許第３１０８１６３号公報）に示す空気調和装置の天井設置型室内ユニットがある。この天井設置型室内ユニットには、それぞれ独立して上下方向の風向角度を変更することが可能な複数の風向変更羽根が吹出口に設けられており、各風向変更羽根の風向角度を設定することが可能になっている。そして、この天井設置型室内ユニットでは、運転の停止前の各風向変更羽根の風向設定を記憶して、運転の開始時に、運転の停止前に記憶された風向設定に各風向変更羽根の風向角度を設定するようにしている。
【発明の概要】
【発明が解決しようとする課題】
【０００３】
しかし、上記従来の天井設置型室内ユニットでは、例えば、記憶された風向設定が下向きの風向設定になっていた場合、暖房モードにおける運転の開始時に、吹出口から下向きに冷気が下向きに吹き出されたり、冷房モードにおける運転の開始時に、暖気やユニット内に滞留していた臭い成分が下向きに吹き出されて、空調室内に居る人へ不快感を与えるおそれがある。このように、上記従来の天井設置型室内ユニットでは、運転の開始時に、空調室内に居る人へ不快感を与えるおそれがある。
【０００４】
本発明の課題は、それぞれ独立して上下方向の風向角度を変更することが可能な複数の風向変更羽根が吹出口に設けられた空気調和装置の天井設置型室内ユニットにおいて、運転の開始時に、空調室内に居る人の不快感を抑えることにある。
【課題を解決するための手段】
【０００５】
第１の観点にかかる空気調和装置の天井設置型室内ユニットは、空調室の天井に設けられるものであって、ケーシングと、複数の風向変更羽根と、制御部とを有している。ケーシングは、空調空気を空調室内に吹き出す吹出口を有している。複数の風向変更羽根は、吹出口に設けられており、それぞれ独立して上下方向の風向角度を変更することが可能である。制御部は、各風向変更羽根の風向角度を設定することが可能な制御手段とを有している。制御手段は、運転の開始時に、各風向変更羽根の風向角度を空調空気が水平方向に吹き出す風向角度である水平吹き風向に設定し、その後、各風向変更羽根の風向角度を所望の風向設定に変更する。
【０００６】
ここで、「風向角度」及び「風向設定」とは、風向角度をある角度に固定している場合には、その角度に固定された状態を意味する。また、風向変更羽根をスイングさせる等の動作を伴う場合には、その動作を行っている状態も「風向角度」及び「風向設定」を意味する。すなわち、「風向角度」及び「風向設定」とは、風向変更羽根の動作を含めた風向変更羽根の風向角度の状態を意味している。また、「運転の開始」とは、リモートコントローラ等からの運転要求や運転モードの選択要求によって天井設置型室内ユニットの運転を開始する場合には、その運転の開始を意味する。また、空調室内の温度が目標温度に達することによって冷媒回路内の冷媒の循環が一時的に停止されたサーモオフ状態になる場合には、そのサーモオフ状態から運転を再開する場合も「運転の開始」を意味する。さらに、リモートコントローラ等からの運転モードの変更要求によって天井設置型室内ユニットの運転モードを変更する場合には、その運転モードの変更後の運転の開始も「運転の開始」を意味する。さらに、「水平吹き風向」とは、風向変更羽根の風向変更範囲のうち最も水平方向に近い風向角度を意味している。
【０００７】
この天井設置型室内ユニットでは、運転の開始時に、空調空気を水平方向に吹き出させることができるため、空調室内に居る人の不快感を抑えた後に、各風向変更羽根の風向角度を所望の風向設定に設定することができる。
【０００８】
第２の観点にかかる空気調和装置の天井設置型室内ユニットは、第１観点にかかる空気調和装置の天井設置型室内ユニットにおいて、制御手段が、運転の開始から所定時間が経過した後に、各風向変更羽根の風向角度が水平吹き風向に設定された状態を終了する。
【０００９】
この天井設置型室内ユニットでは、運転の開始時に、各風向変更羽根の風向角度が水平吹き風向に設定された状態が一定時間確保されるため、空調室内に居る人の不快感を確実に抑えることができる。
【００１０】
第３の観点にかかる空気調和装置の天井設置型室内ユニットは、第１又は第２観点にかかる空気調和装置の天井設置型室内ユニットにおいて、制御部が、各風向変更羽根の風向設定を記憶することが可能な記憶手段をさらに有している。記憶手段は、各風向変更羽根の風向設定を記憶風向として記憶する。制御手段は、運転の開始時に、各風向変更羽根の風向角度の変更が要求されている場合には、所望の風向設定として、各風向変更羽根の風向角度を変更が要求された風向設定である要求風向に変更する。また、制御手段は、運転の開始時に、各風向変更羽根の風向角度の変更が要求されていない場合には、所望の風向設定として、各風向変更羽根の風向角度を記憶風向に変更する。
【００１１】
この天井設置型室内ユニットでは、運転の開始時に風向変更の要求がある場合には、空調室内に居る人の不快感を確実に抑えた後に、要求風向に速やかに設定することができる。また、運転の開始時に風向変更の要求がない場合には、空調室内に居る人の不快感を確実に抑えた後に、空調室内に居る人の要求に合致すると推測される記憶風向に速やかに設定することができる。
【００１２】
第４の観点にかかる空気調和装置の天井設置型室内ユニットは、第３観点にかかる空気調和装置の天井設置型室内ユニットにおいて、要求風向が、手動により設定される各風向変更羽根の風向角度、空調室内における人の分布を検知する人検知センサにより設定される各風向変更羽根の風向角度、空調室内における床面の温度を検知する床温度センサにより設定される各風向変更羽根の風向角度、又は、ケーシング内に吸入される空調室内の空気の温度を検知する吸入空気温度センサにより設定される各風向変更羽根の風向角度である。
【００１３】
この天井設置型室内ユニットでは、運転の開始時における各風向変更羽根の風向角度が水平吹き風向に設定された状態を終了した後に、手動による各風向変更羽根の風向角度、人検知センサによる各風向変更羽根の風向角度、床温度センサによる各風向変更羽根の風向角度、又は、吸入空気温度センサによる各風向変更羽根の風向角度に速やかに設定することができる。
【００１４】
第５の観点にかかる空気調和装置の天井設置型室内ユニットは、第３又は第４観点にかかる空気調和装置の天井設置型室内ユニットにおいて、制御手段が、複数の運転モードのうちの１つを選択して設定することが可能である。記憶手段は、記憶風向とともに、運転モードを記憶運転モードとして記憶する。制御手段は、各風向変更羽根の風向角度を、運転の開始時に設定された運転モードと同じ記憶運転モードにおける記憶風向に変更する。
【００１５】
この天井設置型室内ユニットでは、記憶風向を運転モードとともに記憶して、各風向変更羽根の風向角度の設定に使用しているため、各風向変更羽根の風向角度を運転モードに応じて適切に設定することができる。
【００１６】
第６の観点にかかる空気調和装置の天井設置型室内ユニットは、第３〜第５観点のいずれかにかかる空気調和装置の天井設置型室内ユニットにおいて、ケーシング内に、空調空気の風量を変更することが可能な送風ファンが設けられている。制御手段は、前記送風ファンの風量を設定することが可能である。記憶手段は、記憶風向とともに、送風ファンの風量設定を記憶風量として記憶する。制御手段は、各風向変更羽根の風向角度を記憶風向に変更する時に、送風ファンの風量を記憶風量に変更する。
【００１７】
この天井設置型室内ユニットでは、風向とともに風量も記憶して、各風向変更羽根の風向角度とともに送風ファンの風量も変更しているため、各風向変更羽根の風向角度とともに送風ファンの風量についても、空調室内に居る人の要求に合致すると推測される風量に容易に設定することができる。
【００１８】
第７の観点にかかる空気調和装置の天井設置型室内ユニットは、第６観点にかかる空気調和装置の天井設置型室内ユニットにおいて、制御手段が、複数の運転モードの１つである空調室内の暖房を行う暖房モードにおける運転の開始時に、各風向変更羽根の風向角度を水平吹き風向に設定するとともに、送風ファンの風量を変更範囲の下限である最小風量に設定する。
【００１９】
この天井設置型室内ユニットでは、暖房モードにおける運転の開始時に、空調空気を水平方向に吹き出させるだけでなく、空調空気の風量を少なくすることができるため、空調室内に居る人の冷気による不快感を確実に抑えた後に、各風向変更羽根の風向角度を記憶風向に設定することができる。
【００２０】
第８の観点にかかる空気調和装置の天井設置型室内ユニットは、第７観点にかかる空気調和装置の天井設置型室内ユニットにおいて、制御手段が、暖房モードにおける運転の開始時に、除霜運転又は吹出口から吹き出される空調空気の温度を急速に高める速暖運転が要求されている場合には、除霜運転又は速暖運転が終了した後に、各風向変更羽根の風向角度を水平吹き風向に設定する。
【００２１】
この天井設置型室内ユニットでは、暖房モードにおける運転の開始時に除霜運転又は速暖運転を行う場合に、除霜運転又は速暖運転が終了した直後の不安定な温度の空調空気による空調室内に居る人の不快感を抑えることができる。
【００２２】
第９の観点にかかる空気調和装置の天井設置型室内ユニットは、第８観点にかかる空気調和装置の天井設置型室内ユニットにおいて、制御手段が、除霜運転時又は速暖運転時に、各風向変更羽根の風向角度を水平吹き風向に設定する。
【００２３】
この天井設置型室内ユニットでは、除霜運転時又は速暖運転時の不安定な温度の空調空気による空調室内に居る人の不快感を抑えることができる。
【発明の効果】
【００２４】
以上の説明に述べたように、本発明によれば、以下の効果が得られる。
【００２５】
第１の観点にかかる空気調和装置の天井設置型室内ユニットでは、空調室内に居る人の不快感を抑えた後に、各風向変更羽根の風向角度を所望の風向設定に設定することができる。
【００２６】
第２の観点にかかる空気調和装置の天井設置型室内ユニットでは、空調室内に居る人の不快感を確実に抑えることができる。
【００２７】
第３又は第４の観点にかかる空気調和装置の天井設置型室内ユニットでは、運転の開始時に、空調室内に居る人の不快感を確実に抑えた後に、要求風向又は空調室内に居る人の要求に合致すると推測される記憶風向に速やかに設定することができる。
【００２８】
第５の観点にかかる空気調和装置の天井設置型室内ユニットでは、各風向変更羽根の風向角度を運転モードに応じて適切に設定することができる。
【００２９】
第６の観点にかかる空気調和装置の天井設置型室内ユニットでは、各風向変更羽根の風向角度とともに送風ファンの風量についても、空調室内に居る人の要求に合致すると推測される風量に容易に設定することができる。
【００３０】
第７の観点にかかる空気調和装置の天井設置型室内ユニットでは、空調室内に居る人の冷気による不快感を確実に抑えた後に、各風向変更羽根の風向角度を記憶風向に設定することができる。
【００３１】
第８の観点にかかる空気調和装置の天井設置型室内ユニットでは、除霜運転又は速暖運転が終了した直後の不安定な温度の空調空気による空調室内に居る人の不快感を抑えることができる。
【００３２】
第９の観点にかかる空気調和装置の天井設置型室内ユニットでは、除霜運転時又は速暖運転時の不安定な温度の空調空気による空調室内に居る人の不快感を抑えることができる。
【図面の簡単な説明】
【００３３】
【図１】本発明の一実施形態にかかる天井設置型室内ユニットが採用された空気調和装置の概略構成図である。
【図２】本発明の一実施形態にかかる天井設置型室内ユニットの外観斜視図である。
【図３】本発明の一実施形態にかかる天井設置型室内ユニットの概略側面断面図であって、図４のＩ−Ｏ−Ｉ断面図である。
【図４】本発明の一実施形態にかかる天井設置型室内ユニットの天板を取り除いた状態を示す概略平面図である。
【図５】本発明の一実施形態にかかる天井設置型室内ユニットの化粧パネルを空調室内から見た平面図である。
【図６】本発明の一実施形態にかかる天井設置型室内ユニットの吹出口から吹き出される空調空気の気流、及び、人検知センサの検知範囲を示す模式図である。
【図７】本発明の一実施形態にかかる天井設置型室内ユニットに設けられた人検知センサの構成を示す模式図である。
【図８】本発明の一実施形態にかかる天井設置型室内ユニットの側面視における人検知センサの検知範囲を示す模式図である。
【図９】本発明の一実施形態にかかる天井設置型室内ユニットの制御ブロック図である。
【図１０】本発明の一実施形態にかかる天井設置型室内ユニットの風向変更羽根の風向変更範囲を示す図である。
【図１１】本発明の一実施形態にかかる天井設置型室内ユニットが採用された空気調和装置の制御フローチャートである。
【図１２】所望の風向・風量設定にする際の処理を示すフローチャートである。
【発明を実施するための形態】
【００３４】
本発明にかかる天井設置型室内ユニットの実施形態について、図面に基づいて説明する。
【００３５】
＜構成＞
−全体−
図１は、本発明の一実施形態にかかる天井設置型室内ユニット４が採用された空気調和装置１の概略構成図である。空気調和装置１は、スプリットタイプの空気調和装置であり、主として、室外ユニット２と、天井設置型室内ユニット４と、室外ユニット２と天井設置型室内ユニット４とを接続する液冷媒連絡管５及びガス冷媒連絡管６とを有しており、蒸気圧縮式の冷媒回路１０を構成している。
【００３６】
−室外ユニット−
室外ユニット２は、室外等に設置されており、主として、圧縮機２１と、四路切換弁２２と、室外熱交換器２３と、膨張弁２４と、液側閉鎖弁２５と、ガス側閉鎖弁２６とを有している。
【００３７】
圧縮機２１は、低圧のガス冷媒を吸入し、圧縮して高圧のガス冷媒とした後に吐出する機構である。ここでは、圧縮機２１として、ケーシング（図示せず）内に収容されたロータリ式やスクロール式等の容積式の圧縮要素（図示せず）が、同じくケーシング内に収容された圧縮機モータ２１ａによって駆動される密閉式圧縮機が採用されている。圧縮機モータ２１ａは、インバータ装置（図示せず）によって、その回転数（すなわち、運転周波数）を可変でき、これにより、圧縮機２１の容量制御が可能になっている。
【００３８】
四路切換弁２２は、冷房運転と暖房運転との切換時に、冷媒の流れの方向を切り換えるための弁である。四路切換弁２２は、冷房運転時には、圧縮機２１の吐出側と室外熱交換器２３のガス側とを接続するとともにガス側閉鎖弁２６と圧縮機２１の吸入側とを接続することが可能である（図１における四路切換弁２２の実線を参照）。また、四路切換弁２２は、暖房運転時には、圧縮機２１の吐出側とガス側閉鎖弁２６とを接続するとともに室外熱交換器２３のガス側と圧縮機２１の吸入側とを接続することが可能である（図１における四路切換弁２２の破線を参照）。
【００３９】
室外熱交換器２３は、冷房運転時には冷媒の放熱器として機能し、暖房運転時には冷媒の蒸発器として機能する熱交換器である。室外熱交換器２３は、その液側が膨張弁２４に接続されており、ガス側が四路切換弁２２に接続されている。
【００４０】
膨張弁２４は、冷房運転時には室外熱交換器２３において放熱した高圧の液冷媒を室内熱交換器４２（後述）に送る前に減圧し、暖房運転時には室内熱交換器４２において放熱した高圧の液冷媒を室外熱交換器２３に送る前に減圧することが可能な電動膨張弁である。
【００４１】
液側閉鎖弁２５及びガス側閉鎖弁２６は、外部の機器・配管（具体的には、液冷媒連絡管５及びガス冷媒連絡管６）との接続口に設けられた弁である。液側閉鎖弁２５は、膨張弁２４に接続されている。ガス側閉鎖弁２６は、四路切換弁２２に接続されている。
【００４２】
また、室外ユニット２には、ユニット内に室外空気を吸入して、室外熱交換器２３に室外空気を供給した後に、ユニット外に排出するための室外ファン２７が設けられている。すなわち、室外熱交換器２３は、室外空気を冷却源又は加熱源として冷媒を放熱や蒸発させる熱交換器となっている。ここでは、室外ファン２７として、室外ファンモータ２７ａによって駆動されるプロペラファンが採用されている。室外ファンモータ２７ａは、インバータ装置（図示せず）によって、その回転数（すなわち、運転周波数）を可変でき、これにより、室外ファン２７の風量制御が可能になっている。
【００４３】
また、室外ユニット２には、各種のセンサが設けられている。具体的には、室外ユニット２には、吸入圧力センサ３１と、吐出圧力センサ３２と、吐出温度センサ３３と、室外熱交液側温度センサ３４と、外気温度センサ３５とが設けられている。吸入圧力センサ３１は、圧縮機２１の吸入における冷媒の圧力である吸入圧力Ｐｓを検出する圧力センサである。吐出圧力センサ３２は、圧縮機２１の吐出における冷媒の圧力である吐出圧力Ｐｄを検出する圧力センサである。吐出温度センサ３３は、圧縮機２１の吐出における冷媒の温度である吐出温度Ｔｄを検出する温度センサである。室外熱交液側温度センサ３４は、室外熱交換器２３の液側における冷媒の温度である室外熱交液側温度Ｔｏｌを検出する温度センサである。外気温度センサ３５は、ユニット内に吸入される室外空気の温度である外気温度Ｔａを検出する温度センサである。
【００４４】
また、室外ユニット２は、室外ユニット２を構成する各部の動作を制御する室外制御部３９を有している。そして、室外制御部３９は、室外ユニット２の制御を行うためのマイクロコンピュータやメモリ等を有しており、天井設置型室内ユニット４の室内制御部６９（後述）との間で制御信号等のやりとりを行うことができるようになっている。
【００４５】
−液冷媒連絡管−
液冷媒連絡管５は、液側閉鎖弁２５に接続された冷媒管である。液冷媒連絡管５は、冷房運転時に、冷媒の放熱器として機能する室外熱交換器２３の出口から室外ユニット２外に冷媒を導出することが可能な冷媒管である。また、液冷媒連絡管５は、暖房運転時に、室外ユニット２外から冷媒の蒸発器として機能する室外熱交換器２３の入口に冷媒を導入することが可能な冷媒管でもある。
【００４６】
−ガス冷媒連絡管−
ガス冷媒連絡管６は、ガス側閉鎖弁２６に接続された冷媒管である。ガス冷媒連絡管６は、冷房運転時に、室外ユニット２外から圧縮機２１の吸入に冷媒を導入することが可能な冷媒管である。また、ガス冷媒連絡管６は、暖房運転時に、圧縮機２１の吐出から室外ユニット２外に冷媒を導出することが可能な冷媒管でもある。
【００４７】
−天井設置型室内ユニット−
天井設置型室内ユニット４は、ここでは、天井埋込型と呼ばれる型式の天井設置型空気調和装置が採用されている。天井設置型室内ユニット４は、図２〜図５に示すように、内部に各種構成機器を収納するケーシング５１を有している。ケーシング５１は、ケーシング本体５１ａと、ケーシング本体５１ａの下側に配置された化粧パネル５２とから構成されている。ケーシング本体５１ａは、図２に示すように、空調室の天井Ｕに形成された開口に挿入されて配置されている。そして、化粧パネル５２は、天井Ｕの開口に嵌め込まれるように配置されている。ここで、図２は、天井設置型室内ユニット４の外観斜視図である。図３は、天井設置型室内ユニット４の概略側面断面図であって、図４のＩ−Ｏ−Ｉ断面図である。図４は、天井設置型室内ユニット４の天板５３を取り除いた状態を示す概略平面図である。図５は、天井設置型室内ユニット４の化粧パネル５２を空調室内から見た平面図である。
【００４８】
ケーシング本体５１ａは、平面視が長辺と短辺とが交互に形成された略８角形状の箱状体であり、その下面が開口している。ケーシング本体５１ａは、長辺と短辺とが交互に連続して形成された略８角形状の天板５３と、天板５３の周縁部から下方に延びる側板５４とを有している。側板５４は、天板５３の長辺に対応する側板５４ａ、５４ｂ、５４ｃ、５４ｄと、天板５３の短辺に対応する側板５４ｅ、５４ｆ、５４ｇ、５４ｈとから構成されている。側板５４ｈは、室内熱交換器４２と冷媒連絡管５、６とを接続するための室内冷媒管４３、４４が貫通する部分を構成している。
【００４９】
化粧パネル５２は、平面視が略４角形状の板状体であり、主として、ケーシング本体５１ａの下端部に固定されたパネル本体５２ａから構成されている。パネル本体５２ａは、その略中央に空調室内の空気を吸入する吸入口５５と、平面視における吸入口５５の周囲を囲むように形成された空調室内に空調空気を吹き出す吹出口５６とを有している。吸入口５５は、略４角形状の開口である。吸入口５５には、吸入グリル５７と、吸入口５５から吸入される空気中の塵埃を除去するための吸入フィルタ５８とが設けられている。吹出口５６は、略４角環状の開口である。これにより、パネル本体５２ａの４角形の各辺に対応する方向（図５の矢印Ｘ１、Ｘ２、Ｘ３、Ｘ４の方向を参照）だけでなく、パネル本体５２ａの４角形の各角部に対応する方向（図５の矢印Ｙ１、Ｙ２、Ｙ３、Ｙ４の方向を参照）にも、空調空気が吹き出されるようになっている。
【００５０】
そして、吹出口５６には、パネル本体５２ａの４角形の各辺に対応するように、空調室内に吹き出される空調空気の上下方向の風向角度を変更することが可能な複数（ここでは、４つ）の風向変更羽根７１ａ、７１ｂ、７１ｃ、７１ｄが設けられている。風向変更羽根７１ａ、７１ｂ、７１ｃ、７１ｄは、吹出口５６の４角形の各辺に沿って細長く延びる板状の部材である。各風向変更羽根７１ａ、７１ｂ、７１ｃ、７１ｄの長手方向の両端部は、吹出口５６の一部を塞ぐように配置された１対の羽根支持部７２、７３によって、長手方向の軸周りに回動可能になるように化粧パネル５２に支持されている。そして、各風向変更羽根７１ａ、７１ｂ、７１ｃ、７１ｄは、羽根駆動モータ７４ａ、７４ｂ、７４ｃ、７４ｄによって駆動されるようになっている。これにより、風向変更羽根７１ａ、７１ｂ、７１ｃ、７１ｄは、それぞれ独立して上下方向の風向角度を変更することが可能になっている。尚、羽根駆動モータ７４ａ、７４ｂ、７４ｃ、７４ｄは、ここでは、羽根支持部７２、７３に設けられている。
【００５１】
また、吹出口５６は、羽根支持部７２、７３によって、パネル本体５２ａの４角形の各辺に対応する辺部吹出口５６ａ、５６ｂ、５６ｃ、５６ｄと、パネル本体５２ａの４角形の各角部に対応する角部吹出口５６ｅ、５６ｆ、５６ｇ、５６ｈとに区分されている。ここで、主として辺部吹出口５６ａから吹き出される空調空気（図５の矢印Ｘ１、Ｙ１、Ｙ２を参照）によって空調が行われるエリアを空調対象エリアＡとする。また、主として辺部吹出口５６ｂから吹き出される空調空気（図５の矢印Ｘ２、Ｙ２、Ｙ３を参照）によって空調が行われるエリアを空調対象エリアＢとする。また、主として辺部吹出口５６ｃから吹き出される空調空気（図５の矢印Ｘ３、Ｙ３、Ｙ４を参照）によって空調が行われるエリアを空調対象エリアＣとする。さらに、主として辺部吹出口５６ｄから吹き出される空調空気（図５の矢印Ｘ４、Ｙ４、Ｙ１を参照）によって空調が行われるエリアを空調対象エリアＤとする。
【００５２】
ケーシング本体５１ａの内部には、主として、室内ファン４１（送風ファン）と、室内熱交換器４２とが配置されている、室内ファン４１は、空調室内の空気を化粧パネル５２の吸入口５５を通じてケーシング本体５１ａ内に吸入して化粧パネル５２の吹出口５６を通じてケーシング本体５１ａ内から吹き出す遠心送風機である。また、室内熱交換器４２は、冷房運転時には、冷媒の蒸発器として機能し、暖房運転時には、冷媒の放熱器として機能する熱交換器である。室外熱交換器４２は、室内冷媒管４３、４４を介して冷媒連絡管５、６（図１参照）に接続されている。室内ファン４１は、ケーシング本体５１ａの天板５３の中央に設けられた室内ファンモータ４１ａと、室内ファンモータ４１ａに連結されて回転駆動される羽根車４１ｂとを有している。羽根車４１ｂは、ターボ翼を有する羽根車であり、下方から羽根車４１ｂの内部に空気を吸入し、平面視における羽根車４１ｂの外周側に向かって吹き出すことができる。室内ファンモータ４１ａは、インバータ装置（図示せず）によって、その回転数（すなわち、運転周波数）を可変でき、これにより、室内ファン４１の風量制御が可能になっている。
【００５３】
室内熱交換器４２は、平面視における室内ファン４１の周囲を囲むように曲げられて配置されたフィンチューブ型熱交換器である。室内熱交換器４２は、ケーシング本体５１ａ内に吸入される空調室内の空気と冷媒との熱交換を行って、冷房運転時には、空調室内の空気を冷却し、暖房運転時には、空調室内の空気を加熱することができるようになっている。
【００５４】
また、室内熱交換器４２の下側には、室内熱交換器４２によって空気中の水分が凝縮されて生じるドレン水を受けるためのドレンパン４５が配置されている。ドレンパン４５は、ケーシング本体５１ａの下部に装着されている。ドレンパン４５には、吹出孔４５ａ、４５ｂ、４５ｃ、４５ｄ、４５ｅ、４５ｆ、４５ｇ、４５ｈと、吸入孔４５ｊと、ドレン水受け溝４５ｉとが形成されている。吹出孔４５ａ、４５ｂ、４５ｃ、４５ｄ、４５ｅ、４５ｆ、４５ｇ、４５ｈは、化粧パネル５２の吹出口５６（より具体的には、吹出口５６ａ、５６ｂ、５６ｃ、５６ｄ、５６ｅ、５６ｆ、５６ｇ、５６ｈ）に連通するように形成された孔である。吸入孔４５ｊは、化粧パネル５２の吸入口５５に連通するように形成された孔である。ドレン水受け溝４５ｉは、室内熱交換器４２の下端に対向するように形成された溝である。また、ドレンパン４５の吸入孔４５ｊには、吸入口５５から吸入される空気を室内ファン４１の羽根車４１ｂへ案内するためのベルマウス４１ｃが配置されている。
【００５５】
また、天井設置型室内ユニット４には、各種のセンサが設けられている。具体的には、天井設置型室内ユニット４には、吸入空気温度センサ６１と、人検知センサ６２と、床温度センサ６３とが設けられている。
【００５６】
吸入空気温度センサ６１は、吸入口５５を通じてケーシング本体５１ａ内に吸入される空調室内の空気の温度である吸入空気温度Ｔｒを検出する温度センサである。吸入空気温度センサ６１は、ここでは、吸入口５５に設けられている。
【００５７】
人検知センサ６２は、空調室内における人の分布（ここでは、空調対象エリアＡ、Ｂ、Ｃ、Ｄにおける人の存在の有無）を検知する赤外線センサである。人検知センサ６２は、ここでは、化粧パネル５２の下部の配置可能な位置に１つ設けられている。ここでは、人検知センサ６２は、化粧パネル５２の角部に配置されている。より具体的には、人検知センサ６２は、角部吹出口５６ｆの外周側の位置に化粧パネル５２の表面から下方に突出するように設けられている。人検知センサ６２は、物体から放射される赤外線放射エネルギーの変動によって、空調室内の人の有無を検知する。人検知センサ６２は、化粧パネル５２の平面視における形状が略円形である。また、人検知センサ６２は、図７に示すように、赤外線受光素子（図示せず）に赤外線を受光させるための開口部６２ａが形成されている。ここで、開口部６２ａは、赤外線受光素子に赤外線を受光させることが可能な透過性部材によって覆われていてもよい。そして、開口部６２ａは、化粧パネル５２の平面視において、３６０度回転することが可能であり、各空調対象エリアＡ、Ｂ、Ｃ、Ｄにおける人の存在の有無を検知することができるようになっている。また、人検知センサ６２の平面視における検知範囲は、図６に示すように、いずれの空調対象エリアＡ、Ｂ、Ｃ、Ｄにおける人の存在の有無を検知する場合も、各検知角度α、β、γ、δが約９０度になるような範囲である。また、人検知センサ６２の側面視における検知範囲は、図８に示すように、いずれの空調対象エリアＡ、Ｂ、Ｃ、Ｄにおける人の存在の有無を検知する場合も、各検知角度εが約１３５度になるような範囲である。尚、人検知センサ６２は、上記の構造に限定されるものではなく、例えば、開口部６２ａが回転する代わりに、赤外線受光素子が回転するものであってもよいし、各空調対象エリアＡ、Ｂ、Ｃ、Ｄの方向を向く４つの赤外線受光素子を有するものであってもよい。
【００５８】
床温度センサ６３は、空調室内における床面の温度Ｔｆを検知する赤外線センサである。床温度センサ６３は、ここでは、化粧パネル５２の下部の配置可能な位置に１つ設けられている。ここでは、床温度センサ６３は、化粧パネル５２の角部に配置されている。より具体的には、床温度センサ６３は、人検知センサ６２と同じく、角部吹出口５６ｆの外周側の位置に化粧パネル５２の表面から下方を向くように設けられている。床温度センサ６３は、物体から放射される赤外線放射エネルギーによって、空調室内の床面の温度Ｔｆを検知する。
【００５９】
また、天井設置型室内ユニット４は、天井設置型室内ユニット４を構成する各部の動作を制御する室内制御部６９を有している。そして、室内制御部６９は、天井設置型室内ユニット４の制御を行うためのマイクロコンピュータやメモリ等を有しており、室外ユニット２の室外制御部３９との間で制御信号等のやりとりを行うことができるようになっている。
【００６０】
そして、室外制御部３９と室内制御部６９とによって、空気調和装置１の運転制御等を行う制御部９が構成されている（図１を参照）。尚、空調室内に居る人は、リモートコントローラ９９（図１を参照）によって、制御部９に対して運転や停止等の要求を行うことができるようになっている。
【００６１】
−制御部−
制御部９は、図９に示すように、主として、制御手段９１と記憶手段９２とを有している。ここで、制御手段９１は、室外制御部３９のマイクロコンピュータ等、及び、室内制御部６９のマイクロコンピュータ等を意味しており、室外ユニット２及び天井設置型室内ユニット４を構成する各部の動作を制御する。また、記憶手段９２は、室外制御部３９のメモリ等、及び、室内制御部６９のメモリ等を意味しており、室外ユニット２及び天井設置型室内ユニット４を構成する各部の制御に使用される各種設定等を記憶する。制御部９には、リモートコントローラ９９及び各種センサ６１、６２、６３、３１、３２、３３、３４、３５が接続されている。そして、制御部９は、リモートコントローラ９９からの要求や各種センサ６１、６２、６３、３１、３２、３３、３４、３５の検出値等に基づいて、各種機器２１ａ、２２、２４、２７ａ、４１ａ、７４ａ、７４ｂ、７４ｃ、７４ｄの動作を制御するようになっている。
【００６２】
尚、ここで、各風向変更羽根７１ａ、７１ｂ、７１ｃ、７１ｄの風向角度は、リモートコントローラ９９からの要求や各種センサ６１、６２、６３、３１、３２、３３、３４、３５の検出値等に基づいて、固定状態又はスイング状態に設定できるようになっている。固定状態とは、各羽根駆動モータ７４ａ、７４ｂ、７４ｃ、７４ｄを駆動して、各風向変更羽根７１ａ、７１ｂ、７１ｃ、７１ｄの風向角度を所望の風向角度で固定した状態である。各風向変更羽根７１ａ、７１ｂ、７１ｃ、７１ｄの風向角度は、図１０に示すように、空調空気が水平方向に吹き出す風向角度である風向Ｐ０（水平吹き風向）と空調空気が最も下方向に吹き出す風向角度である風向Ｐ４との間で複数段階に変更可能である。ここでは、各風向変更羽根７１ａ、７１ｂ、７１ｃ、７１ｄの風向角度は、風向Ｐ０、風向Ｐ０よりも下向きの風向Ｐ１、風向Ｐ１よりも下向きの風向Ｐ２、風向Ｐ２よりも下向きの風向Ｐ３、及び、最も下向きの風向Ｐ４の５段階に変更可能である。このため、風向Ｐ０は、各風向変更羽根７１ａ、７１ｂ、７１ｃ、７１ｄの風向変更範囲のうち最も水平方向に近い風向角度になっている。スイング状態とは、各羽根駆動モータ７４ａ、７４ｂ、７４ｃ、７４ｄを駆動して、各風向変更羽根７１ａ、７１ｂ、７１ｃ、７１ｄの風向角度を風向変更範囲内（ここでは、風向Ｐ０と風向Ｐ４との間）で繰り返し上下に変更する状態である。このように、「風向角度」及び「風向設定」とは、風向角度をある角度に固定している場合には、その角度に固定された状態を意味する。また、風向変更羽根７１ａ、７１ｂ、７１ｃ、７１ｄをスイングさせる等の動作を伴う場合には、その動作を行っている状態も「風向角度」及び「風向設定」を意味する。すなわち、「風向角度」及び「風向設定」とは、風向変更羽根７１ａ、７１ｂ、７１ｃ、７１ｄの動作を含めた風向変更羽根の風向角度の状態を意味する。
【００６３】
また、室内ファン４１の風量は、室内ファンモータ４１ａの回転数を変更することによて、最も回転数が大きく大風量の風量Ｈ、風量Ｈの回転数よりも小さく中程度の風量の風量Ｍ、風量Ｍの回転数よりもさら小さく小風量の風量Ｌ、及び、風量Ｌの回転数よりもさら小さく最小風量の風量ＬＬの間で４段階に変更可能である。ここで、風量Ｈ、風量Ｍ及び風量Ｌは、リモートコントローラ９９からの要求や各種センサ６１、６２、６３、３１、３２、３３、３４、３５の検出値等に基づいて設定することが可能である。しかし、風量ＬＬは、リモートコントローラ９９からの要求によっては設定することができず、所定の制御状態の場合に制御的に設定されるものである。
【００６４】
＜動作＞
次に、上記のような構成を有する空気調和装置１の動作について説明する。尚、以下の動作を行うために必要な各種機器の制御や各種処理等は、制御部９の制御手段９１によって行われる。
【００６５】
空気調和装置１の運転モードとしては、空調室内の冷房を行う冷房モードと、空調室内の暖房を行う暖房モードという複数（ここでは、２つ）の運転モードがある。
【００６６】
−冷房モード−
冷房モードにおける運転としては、空調室内の冷房を行う冷房運転がある。また、冷房運転時には、各風向変更羽根７１ａ、７１ｂ、７１ｃ、７１ｄの風向角度や室内ファン４１の風量に関する各種設定が可能になっている。
【００６７】
（１）冷房運転
冷房運転は、室外熱交換器２３が冷媒の放熱器として機能し、かつ、室内熱交換器４２が冷媒の蒸発器として機能するように冷媒回路１０内の冷媒を循環させることによって、空調室内の空気を冷却して空調室内に空調空気として供給する運転である。
【００６８】
冷房運転においては、室外熱交換器２３が冷媒の放熱器として機能し、かつ、室内熱交換器４２が冷媒の蒸発器として機能する状態（すなわち、図１の四路切換弁２２の実線で示される状態）になるように、四路切換弁２２が切り換えられる。
【００６９】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２を通じて、室外熱交換器２３に送られる。室外熱交換器２３に送られた高圧の冷媒は、室外熱交換器２３において、室外ファン２７によって供給される室外空気と熱交換を行って放熱する。室外熱交換器２３において放熱した高圧の冷媒は、膨張弁２４に送られて、冷凍サイクルにおける低圧まで減圧される。膨張弁２４において減圧された低圧の冷媒は、液側閉鎖弁２５及び液冷媒連絡管５を通じて、室内熱交換器４２に送られる。室内熱交換器４２に送られた低圧の冷媒は、室内熱交換器４２において、室内ファン４１によって供給される空調室内の空気と熱交換を行って蒸発する。これにより、空調室内の空気は、冷却されて空調空気となり、吹出口５６（より具体的には、吹出口５６ａ、５６ｂ、５６ｃ、５６ｄ、５６ｅ、５６ｆ、５６ｇ、５６ｈ）から空調室内に吹き出される。室内熱交換器４２において蒸発した低圧の冷媒は、ガス冷媒連絡管６、ガス側閉鎖弁２６及び四路切換弁２２を通じて、再び、圧縮機２１に吸入される。
【００７０】
尚、このような冷房運転においては、吸入空気温度Ｔｒがリモートコントローラ９９等から要求された目標空気温度Ｔｒｓになるように制御される。すなわち、冷房運転において、吸入空気温度Ｔｒが目標空気温度Ｔｒｓよりも高い場合には、上記の運転制御（以下、この状態を冷房サーモオン状態とする）を行う。そして、吸入空気温度Ｔｒが目標空気温度Ｔｒｓに達した場合には、圧縮機２１を停止して冷媒回路１０内の冷媒の循環を行わないようにするとともに、室内ファン４１の風量を風量ＬＬに変更する制御（以下、この状態を冷房サーモオフ状態とする）を行う。
【００７１】
（２）冷房運転における各種風向・風量設定
上記の冷房運転においては、空調室内に居る人の快適性を高めることができるように、各風向変更羽根７１ａ、７１ｂ、７１ｃ、７１ｄの風向角度、及び、室内ファン４１の風量を種々の風向・風量に設定することができるようになっている。
【００７２】
まず、空調室内に居る人等が、リモートコントローラ９９から手動により風向・風量設定を行うことができる。例えば、各風向変更羽根７１ａ、７１ｂ、７１ｃ、７１ｄの風向角度を風向Ｐ０、風向Ｐ１、風向Ｐ２、風向Ｐ３又は風向Ｐ４のいずれかに固定する設定を行ったり、スイング状態に設定することができる。また、室内ファン４１の風量を、風量Ｈ、風量Ｍ又は風量Ｌのいずれかに設定することができる。
【００７３】
これにより、空調室内に居る人が、好みに応じて、最も快適性の高い風向・風量設定を得ることができる。
【００７４】
また、空調室内における人の分布（ここでは、空調対象エリアＡ、Ｂ、Ｃ、Ｄの人の存在の有無）に基づいて、風向・風量設定を行うことができる。例えば、人検知センサ６２が空調対象エリアＡ、Ｂ、Ｃ、Ｄのいずれかにおいて人の存在を検知した場合に、その検出値に基づいて、人の存在が検知された空調対象エリアに対応する辺部吹出口の風向変更羽根の風向角度を風向Ｐ０に設定することができる。他方、空調対象エリアＡ、Ｂ、Ｃ、Ｄのうち人の非存在が検知された空調対象エリアにおいては、人の存在が検知される空調対象エリアに対応する辺部吹出口の風向変更羽根の風向角度を風向Ｐ０よりも下向きの風向Ｐ１、Ｐ２、Ｐ３等に設定することができる。
【００７５】
これにより、空調対象エリアＡ、Ｂ、Ｃ、Ｄに存在する人のドラフトによる不快感を抑えることができ、空調室内に居る人の快適性の向上を図ることができる。尚、人検知センサ６２による風向・風量設定の入切は、リモートコントローラ９９から行うことができる。
【００７６】
このように、冷房運転においては、空調室内に居る人の要求等に応じて、上記のような所望の風向・風量設定にすることができるようになっている。
【００７７】
−暖房モード−
暖房モードにおける運転としては、空調室内の暖房を行う暖房運転と、室外熱交換器２３に生じた着霜を除去する除霜運転と、吹出口５６から吹き出される空調空気の温度を急速に高める速暖運転とがある。また、暖房運転時には、各風向変更羽根７１ａ、７１ｂ、７１ｃ、７１ｄの風向角度や室内ファン４１の風量に関する各種設定が可能になっている。
【００７８】
（１）暖房運転
暖房運転は、室外熱交換器２３が冷媒の蒸発器として機能し、かつ、室内熱交換器４２が冷媒の放熱器として機能するように冷媒回路１０内の冷媒を循環させることによって、空調室内の空気を加熱して空調室内に空調空気として供給する運転である。
【００７９】
暖房運転においては、室外熱交換器２３が冷媒の蒸発器として機能し、かつ、室内熱交換器４２が冷媒の放熱器として機能する状態（すなわち、図１の四路切換弁２２の破線で示される状態）になるように、四路切換弁２２が切り換えられる。
【００８０】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２、ガス側閉鎖弁２６及びガス冷媒連絡管６を通じて、室内熱交換器４２に送られる。室内熱交換器４２に送られた高圧の冷媒は、室内熱交換器４２において、室内ファン４１によって供給される空調室内の空気と熱交換を行って放熱する。これにより、空調室内の空気は、加熱されて空調空気となり、吹出口５６（より具体的には、吹出口５６ａ、５６ｂ、５６ｃ、５６ｄ、５６ｅ、５６ｆ、５６ｇ、５６ｈ）から空調室内に吹き出される。室内熱交換器４２において放熱した高圧の冷媒は、液冷媒連絡管５及び液側閉鎖弁２５を通じて、膨張弁２４に送られて、冷凍サイクルにおける低圧まで減圧される。膨張弁２４において減圧された低圧の冷媒は、室外熱交換器２３に送られる。室外熱交換器２３に送られた低圧の冷媒は、室外熱交換器２３において、室外ファン２７によって供給される空調室内の空気と熱交換を行って蒸発する。室外熱交換器２３において蒸発した低圧の冷媒は、四路切換弁２２を通じて、再び、圧縮機２１に吸入される。
【００８１】
尚、このような暖房運転においては、吸入空気温度Ｔｒがリモートコントローラ９９等から要求された目標空気温度Ｔｒｓになるように制御される。すなわち、暖房運転において、吸入空気温度Ｔｒが目標空気温度Ｔｒｓよりも低い場合には、上記の運転制御（以下、この状態を暖房サーモオン状態とする）を行う。そして、吸入空気温度Ｔｒが目標空気温度Ｔｒｓに達した場合には、圧縮機２１を停止して冷媒回路１０内の冷媒の循環を行わないようにするとともに、室内ファン４１の風量を風量ＬＬに変更する制御（以下、この状態を暖房サーモオフ状態とする）を行う。
【００８２】
（２）暖房運転における各種風向・風量設定
上記の暖房運転においても、冷房運転と同様に、空調室内に居る人の快適性を高めることができるように、各風向変更羽根７１ａ、７１ｂ、７１ｃ、７１ｄの風向角度、及び、室内ファン４１の風量を種々の風向・風量に設定することができるようになっている。
【００８３】
まず、空調室内に居る人等が、リモートコントローラ９９から手動により風向・風量設定を行うことができる。例えば、各風向変更羽根７１ａ、７１ｂ、７１ｃ、７１ｄの風向角度を風向Ｐ０、風向Ｐ１、風向Ｐ２、風向Ｐ３又は風向Ｐ４のいずれかに固定する設定を行ったり、スイング状態に設定することができる。また、室内ファン４１の風量を、風量Ｈ、風量Ｍ又は風量Ｌのいずれかに設定することができる。
【００８４】
これにより、空調室内に居る人が、好みに応じて、最も快適性の高い風向・風量設定を得ることができる。
【００８５】
また、空調室内における人の分布（ここでは、空調対象エリアＡ、Ｂ、Ｃ、Ｄの人の存在の有無）に基づいて、風向・風量設定を行うことができる。例えば、人検知センサ６２が空調対象エリアＡ、Ｂ、Ｃ、Ｄのいずれかにおいて人の存在を検知した場合に、その検出値に基づいて、人の存在が検知された空調対象エリアに対応する辺部吹出口の風向変更羽根の風向角度を風向Ｐ０に設定することができる。他方、空調対象エリアＡ、Ｂ、Ｃ、Ｄのうち人の非存在が検知された空調対象エリアにおいては、人の存在が検知される空調対象エリアに対応する辺部吹出口の風向変更羽根の風向角度を風向Ｐ０よりも下向きの風向Ｐ１、Ｐ２、Ｐ３等に設定することができる。
【００８６】
これにより、空調対象エリアＡ、Ｂ、Ｃ、Ｄに存在する人のドラフトによる不快感を抑えることができ、空調室内に居る人の快適性の向上を図ることができる。尚、人検知センサ６２による風向・風量設定の入切は、リモートコントローラ９９から行うことができる。
【００８７】
また、床温度センサ６３によって検知される空調室内における床面の温度Ｔｆに基づいて、風向・風量設定を行うことができる。例えば、空調室内の床面の温度Ｔｆが目標床面温度Ｔｆｓよりも低い場合には、各風向変更羽根７１ａ、７１ｂ、７１ｃ、７１ｄの風向角度を下向きの風向（例えば、風向Ｐ３、Ｐ４等）に設定することができる。他方、空調室内の床面の温度Ｔｆが目標床面温度Ｔｆｓに達している場合には、各風向変更羽根７１ａ、７１ｂ、７１ｃ、７１ｄの風向角度を風向Ｐ３、Ｐ４等よりも上向きの風向（例えば、風向Ｐ０、Ｐ１等）に設定することができる。
【００８８】
これにより、空調室内の床面付近が十分に暖まっていない場合に、暖気を床面まで到達させることができ、空調室内に居る人の快適性の向上を図ることができる。尚、床温度センサ６３による風向・風量設定の入切は、リモートコントローラ９９から行うことができる。
【００８９】
また、吸入空気温度センサ６１によって検知される吸入空気温度Ｔｒに基づいて、風向・風量設定を行うことができる。例えば、吸入空気温度Ｔｒと空調室内の床面の温度Ｔｆとの平均温度Ｔａｖを算出し、この平均温度Ｔａｖが所定の目標平均温度Ｔａｖｓよりも低い場合には、各風向変更羽根７１ａ、７１ｂ、７１ｃ、７１ｄの風向角度を下向きの風向（例えば、風向Ｐ３、Ｐ４等）に設定することができる。他方、平均温度Ｔａｖが所定の目標平均温度Ｔａｖｓに達している場合には、各風向変更羽根７１ａ、７１ｂ、７１ｃ、７１ｄの風向角度を風向Ｐ３、Ｐ４等よりも上向きの風向（例えば、風向Ｐ０、Ｐ１等）に設定することができる。
【００９０】
これにより、空調室内の床面付近が十分に暖まっていない場合に、暖気を床面まで到達させることができ、空調室内に居る人の快適性の向上を図ることができる。尚、吸入空気温度センサ６１による風向・風量設定の入切は、リモートコントローラ９９から行うことができる。
【００９１】
尚、上記の床温度センサ６３による風向・風量設定、又は、上記の吸入空気温度センサ６１による風向・風量設定とともに、人検知センサ６２による風向・風量設定を併用してもよい。例えば、床温度センサ６３による風向・風量設定、又は、吸入空気温度センサ６１による風向・風量設定を行いつつ、人検知センサ６２によって人の存在が検知された空調対象エリアに対応する風向変更羽根の風向角度を風向Ｐ０に設定することができる。
【００９２】
これにより、暖気を床面まで到達させつつ、空調対象エリアＡ、Ｂ、Ｃ、Ｄに存在する人のドラフトによる不快感を抑えることができる。
【００９３】
このように、暖房運転においても、空調室内に居る人の要求等に応じて、上記のような所望の風向・風量設定にすることができるようになっている。
【００９４】
（３）除霜運転
上記の暖房運転が行われることによって、室外熱交換器２３の除霜が必要であると判定された場合には、除霜運転を行う。ここで、室外熱交換器２３の除霜が必要であるかどうかの判定は、例えば、前回の除霜運転終了からの積算運転時間が所定の積算運転時間に達したかどうかによって行われる。尚、室外熱交換器２３の除霜が必要であるかどうかの判定条件は、積算運転時間の条件によるものに限定されず、外気温度Ｔａや室外熱交液側温度Ｔｏｌの条件等の他の条件によって行うようにしてもよい。
【００９５】
除霜運転においては、暖房運転とは逆に、室外熱交換器２３が冷媒の放熱器として機能し、かつ、室内熱交換器４２が冷媒の蒸発器として機能する状態（すなわち、図１の四路切換弁２２の実線で示される状態）になるように、四路切換弁２２が切り換えられる。
【００９６】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２を通じて、室外熱交換器２３に送られる。室外熱交換器２３に送られた高圧の冷媒は、室外熱交換器２３において、室外熱交換器２３に付着した霜や室外空気と熱交換を行って放熱する。これにより、室外熱交換器２３の除霜が行われる。室外熱交換器２３において放熱した高圧の冷媒は、膨張弁２４に送られて、冷凍サイクルにおける低圧まで減圧される。膨張弁２４において減圧された低圧の冷媒は、液側閉鎖弁２５及び液冷媒連絡管５を通じて、室内熱交換器４２に送られる。室内熱交換器４２に送られた低圧の冷媒は、室内熱交換器４２において、ケーシング５１内に滞留する空気と熱交換を行って蒸発する。尚、除霜運転においては、各風向変更羽根７１ａ、７１ｂ、７１ｃ、７１ｄの風向角度を風向Ｐ０に設定し、室内ファン４１を停止させるようにしている。これにより、除霜運転時の不安定な温度の空調空気による空調室内に居る人の不快感を抑えることができる。室内熱交換器４２において蒸発した低圧の冷媒は、ガス冷媒連絡管６、ガス側閉鎖弁２６及び四路切換弁２２を通じて、再び、圧縮機２１に吸入される。
【００９７】
そして、室外熱交換器２３の除霜が終了したものと判定された場合には、再び、暖房運転を開始する。ここで、室外熱交換器２３の除霜が終了したかどうかの判定は、例えば、室外熱交液側温度Ｔｏｌが所定の温度まで上昇したかどうかによって行われる。尚、室外熱交換器２３の除霜が終了したかどうかの判定は、室外熱交液側温度Ｔｏｌの条件によるものに限定されず、除霜運転を行った時間の条件等の他の条件によって行うようにしてもよい。
【００９８】
（４）速暖運転
上記の暖房運転の開始時にリモートコントローラ９９等から速暖運転が要求される場合には、速暖運転を行う。
【００９９】
速暖運転においては、暖房運転と同様に、室外熱交換器２３が冷媒の蒸発器として機能し、かつ、室内熱交換器４２が冷媒の放熱器として機能する状態（すなわち、図１の四路切換弁２２の破線で示される状態）になるように、四路切換弁２２が切り換えられる。
【０１００】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２２、ガス側閉鎖弁２６及びガス冷媒連絡管６を通じて、室内熱交換器４２に送られる。室内熱交換器４２に送られた高圧の冷媒は、室内熱交換器４２において、ケーシング５１内に滞留する空気と熱交換を行って放熱する。尚、速暖運転においては、各風向変更羽根７１ａ、７１ｂ、７１ｃ、７１ｄの風向角度を風向Ｐ０に設定し、室内ファン４１を停止させるようにしている。これにより、速暖運転時の不安定な温度の空調空気による空調室内に居る人の不快感を抑えることができる。室内熱交換器４２において放熱した高圧の冷媒は、液冷媒連絡管５及び液側閉鎖弁２５を通じて、膨張弁２４に送られて、冷凍サイクルにおける低圧まで減圧される。膨張弁２４において減圧された低圧の冷媒は、室外熱交換器２３に送られる。室外熱交換器２３に送られた低圧の冷媒は、室外熱交換器２３において、室外ファン２７によって供給される空調室内の空気と熱交換を行って蒸発する。室外熱交換器２３において蒸発した低圧の冷媒は、四路切換弁２２を通じて、再び、圧縮機２１に吸入される。
【０１０１】
そして、吹出口５６（より具体的には、吹出口５６ａ、５６ｂ、５６ｃ、５６ｄ、５６ｅ、５６ｆ、５６ｇ、５６ｈ）から吹き出される空調空気の温度が高まったものと判定された場合には、暖房運転を開始する。ここで、吹出口５６から吹き出される空調空気の温度が高まったかどうかの判定は、例えば、速暖運転を行った時間が所定の時間に達したかどうかによって行われる。尚、吹出口５６から吹き出される空調空気の温度が高まったかどうかの判定は、速暖運転を行った時間の条件によるものに限定されず、吐出圧力Ｐｄや吐出温度Ｔｄの条件等の他の条件によって行うようにしてもよい。
【０１０２】
−運転の開始時を含めた空気調和装置の制御−
次に、運転の開始時を含めた空気調和装置１の制御について、図１１及び図１２を用いて説明する。ここで、図１１は、空気調和装置１の制御フローチャートである。図１２は、所望の風向・風量設定にする際の処理を示すフローチャートである。
【０１０３】
まず、天井設置型室内ユニット４の電源が入った状態（ステップＳ１）において、リモートコントローラ９９からの要求によって運転モードを選択して、運転を開始する（ステップＳ２）。運転モードは、リモートコントローラ９９からの選択要求によって、制御手段９１が、冷房モード及び暖房モードのどちらかを選択して設定する。また、運転モードが選択されている場合には、運転が開始される（ステップＳ２）。また、冷房サーモオフ状態又は暖房サーモオフ状態から冷房運転や暖房運転が行われる場合には、冷房サーモオン状態又は暖房サーモオン状態になり、運転が開始される。このように、「運転の開始」とは、リモートコントローラ９９等からの運転要求や運転モードの選択要求によって天井設置型室内ユニット４の運転を開始する場合には、その運転の開始を意味する。また、空調室内の温度（ここでは、吸入空気温度Ｔｒ）が目標温度（ここでは、目標吸入空気温度Ｔｒｓ）に達することによって冷媒回路１０内の冷媒の循環が一時的に停止された冷房サーモオフ状態又は暖房サーモオフ状態になる場合には、これらのサーモオフ状態から運転を再開する場合も「運転の開始」を意味する。さらに、リモートコントローラ９９等からの運転モードの変更要求によって天井設置型室内ユニット４の運転モードを変更する場合には、その運転モードの変更後の運転の開始も「運転の開始」を意味する。
【０１０４】
次に、選択又は変更された運転モードが冷房モードか暖房モードかを判定する（ステップＳ３）。この判定は、制御手段９１が行う。そして、選択又は変更された運転モードが冷房モードであると判定された場合には、ステップＳ４の処理に移行し、選択又は変更された運転モードが暖房モードであると判定された場合には、ステップＳ１１の処理に移行する。
【０１０５】
（１）冷房モード
ステップＳ３において冷房モードであると判定された場合には、上記の冷房運転を行うのであるが、その開始時には、まず、制御手段９１が、各風向変更羽根７１ａ、７１ｂ、７１ｃ、７１ｄの風向角度を風向Ｐ０に設定し、室内ファン４１の風量を所望の風量に設定する（ステップＳ４）。ここで、所望の風向・風量設定とは、上記の冷房運転において行われる風向・風量設定であり、運転の開始時に風向・風量設定の変更要求があった場合には、その要求された風向・風量設定（以下、要求風向・風量設定とする）を意味する。また、運転の開始時に風向・風量設定の変更要求がなかった場合には、運転の停止前又は運転モードの変更前に、記憶手段９２に記憶された風向・風量設定（以下、記憶風向・風量設定とする）を意味する。ここでは、冷房モードが選択されているため、記憶手段９２において、記憶運転モードとして記憶されている冷房モードに対応する記憶風向・風量設定のことを意味する。そして、ステップＳ４における風向・風量設定は、運転の開始から所定の第１時間が経過するまで継続される（ステップＳ５）。
【０１０６】
その後、ステップＳ６の処理に移行して、ステップＳ４における風向・風量設定を、所望の風向・風量設定に変更する（ステップＳ２１〜２３）。尚、ステップＳ２１における運転の開始時に風向・風量設定の変更要求があったかどうかの判定は、制御手段９１が行う。
【０１０７】
これにより、天井設置型室内ユニット４では、運転（ここでは、冷房運転）の開始時に、空調空気を水平方向に吹き出させることができる。このため、空調室内に居る人の不快感を抑えた後に、各風向変更羽根７１ａ、７１ｂ、７１ｃ、７１ｄの風向角度を所望の風向設定（ここでは、要求風向・風量設定、又は、記憶風向・風量設定）に設定することができる。例えば、所望の風向・風量設定が下向きの風向Ｐ３、Ｐ４への設定を含んでいる場合を想定する。この場合において、ステップＳ４における風向・風量設定を行うことなくステップＳ６の所望の風向・風量設定に設定すると、吹出口５６から暖気やユニット内に滞留していた臭い成分が下向きに吹き出されて、空調室内に居る人へ不快感を与えるおそれがある。しかし、ステップＳ４における風向・風量設定を行うことによって、吹出口５６から暖気やユニット内に滞留していた臭い成分が下向きに吹き出されなくなるため、空調室内に居る人の不快感を抑えることができる。
【０１０８】
また、天井設置型室内ユニット４では、ステップＳ４における風向・風量設定を第１時間が経過するまで継続するようにしている。このため、運転（ここでは、冷房運転）の開始時に、各風向変更羽根７１ａ、７１ｂ、７１ｃ、７１ｄの風向角度が風向Ｐ０に設定された状態が一定時間確保されるため、空調室内に居る人の不快感を確実に抑えることができる。
【０１０９】
また、天井設置型室内ユニット４では、運転（ここでは、冷房運転）の開始時に風向・風量変更の要求がある場合には、空調室内に居る人の不快感を確実に抑えた後に、要求風向・風量に速やかに設定することができる。より具体的には、運転（ここでは、冷房運転）の開始時における各風向変更羽根７１ａ、７１ｂ、７１ｃ、７１ｄの風向角度が風向Ｐ０に設定された状態を終了した後に、手動による各風向変更羽根７１ａ、７１ｂ、７１ｃ、７１ｄの風向角度及び室内ファン４１の風量、人検知センサ６２による各風向変更羽根７１ａ、７１ｂ、７１ｃ、７１ｄの風向角度及び室内ファン４１の風量、床温度センサ６３による各風向変更羽根７１ａ、７１ｂ、７１ｃ、７１ｄの風向角度及び室内ファン４１の風量、又は、吸入空気温度センサ６１による各風向変更羽根７１ａ、７１ｂ、７１ｃ、７１ｄの風向角度及び室内ファン４１の風量等に速やかに設定することができる。また、運転（ここでは、冷房運転）の開始時に風向変更の要求がない場合には、空調室内に居る人の不快感を確実に抑えた後に、空調室内に居る人の要求に合致すると推測される記憶風向に速やかに設定することができる。しかも、天井設置型室内ユニット４では、風向とともに風量を記憶して、各風向変更羽根７１ａ、７１ｂ、７１ｃ、７１ｄの風向角度とともに送風ファン４１の風量も変更しているため、各風向変更羽根７１ａ、７１ｂ、７１ｃ、７１ｄの風向角度とともに送風ファン４１の風量についても、空調室内に居る人の要求に合致すると推測される風量に容易に設定することができる。
【０１１０】
次に、冷房運転中にリモートコントローラ９９等からの停止要求がされたかどうかを判定する（ステップＳ７）。この判定は、制御手段９１が行う。そして、停止要求がされなかったものと判定された場合には、ステップＳ９の処理に移行する。そして、制御手段９１は、冷房運転中にリモートコントローラ９９等からの運転モードの変更要求がされたかどうか、又は、吸入空気温度Ｔｒが目標空気温度Ｔｒｓに達して冷房サーモオフ状態になっているかどうかを判定する。そして、運転モードの変更要求がされたものと判定された場合、又は、冷房サーモオフ状態になっているものと判定された場合には、ステップＳ１０の処理に移行する。そして、記憶手段９２は、運転モードの変更要求前又は冷房サーモオフ前の風向・風量設定を記憶風向・風量設定として記憶するとともに、運転モードの変更要求前の運転モードを記憶運転モードとして記憶する。その後、ステップＳ２の処理に戻り、運転モードの変更要求（ここでは、冷房モードから暖房モードへの変更要求）があった場合には、後述のステップＳ１１の処理に移行し、冷房サーモオフ状態になっている場合には、吸入空気温度Ｔｒが目標空気温度Ｔｒｓよりも高くなって冷房サーモオン状態になったときに、上記と同様の処理を行う。他方、ステップＳ７において停止要求がされたものと判定された場合には、ステップＳ８の処理に移行する。そして、記憶手段９２は、運転の停止前の風向・風量設定を記憶風向・風量設定として記憶するとともに、停止要求前の運転モードを記憶運転モードとして記憶する。その後、ステップＳ２の処理に戻り、運転モード選択又は運転の開始が要求されるのを待つ状態となる。
【０１１１】
これにより、天井設置型室内ユニット４では、記憶風向・風量を運転モードとともに記憶して、各風向変更羽根７１ａ、７１ｂ、７１ｃ、７１ｄの風向角度及び室内ファン４１の風量の設定に使用しているため、各風向変更羽根７１ａ、７１ｂ、７１ｃ、７１ｄの風向角度及び室内ファン４１の風量を運転モードに応じて適切に設定することができる。
【０１１２】
（２）暖房モード
ステップＳ３において暖房モードであると判定された場合には、上記の暖房運転を行うのであるが、その開始時には、まず、上記の速暖運転又は除霜運転が要求されているかどうかを判定する（ステップＳ１１）。
【０１１３】
そして、速暖運転又は除霜運転が要求されていないと判定された場合には、制御手段９１が、各風向変更羽根７１ａ、７１ｂ、７１ｃ、７１ｄの風向角度を風向Ｐ０に設定し、室内ファン４１の風量を風量ＬＬに設定する（ステップＳ１２）。そして、ステップＳ１２における風向・風量設定は、冷風防止条件が解除され（ステップＳ１３）、かつ、運転の開始から所定の第２時間が経過するまで継続される（ステップＳ１４）。ここで、冷風防止条件とは、暖房運転を行うにあたり、圧縮機２１が暖房運転を行うための最低限必要な運転状態になっているかどうかを判定するための条件であり、ここでは、圧縮機２１の吐出圧力Ｐｄが所定の圧力まで達しているかどうかを条件にしている。
【０１１４】
また、速暖運転又は除霜運転が要求されていると判定された場合には、制御手段９１が、各風向変更羽根７１ａ、７１ｂ、７１ｃ、７１ｄの風向角度を風向Ｐ０に設定し、室内ファン４１を停止して（ステップＳ１５）、速暖運転又は除霜運転を行う。そして、ステップＳ１６において速暖運転又は除霜運転が終了したものと判定された場合には、制御手段９１が、各風向変更羽根７１ａ、７１ｂ、７１ｃ、７１ｄの風向角度を風向Ｐ０に設定し、室内ファン４１の風量を風量ＬＬに設定する（ステップＳ１７）。そして、ステップＳ１２における風向・風量設定は、速暖運転又は除霜運転の終了から所定の第３時間が経過し（ステップＳ１８）、かつ、運転の開始から所定の第４時間が経過するまで継続される（ステップＳ１９）。これにより、天井設置型室内ユニット４では、暖房モードにおける運転の開始時に除霜運転又は速暖運転を行う場合に、除霜運転又は速暖運転が終了した直後の不安定な温度の空調空気による空調室内に居る人の不快感を抑えることができる。
【０１１５】
その後、ステップＳ６の処理に移行して、冷房モードと同様に、ステップＳ１２又はＳ１７における風向・風量設定を、所望の風向・風量設定に変更する（ステップＳ２１〜２３）。ここで、所望の風向・風量設定とは、上記の冷房運転において行われる風向・風量設定であり、運転の開始時に風向・風量設定の変更要求があった場合には、その要求された風向・風量設定（すなわち、要求風向・風量設定）を意味する。また、運転の開始時に風向・風量設定の変更要求がなかった場合には、運転の停止前又は運転モードの変更前に、記憶手段９２に記憶された風向・風量設定（すなわち、記憶風向・風量設定）を意味する。ここでは、暖房モードが選択されているため、記憶手段９２において、記憶運転モードとして記憶されている暖房モードに対応する記憶風向・風量設定を意味する。
【０１１６】
これにより、天井設置型室内ユニット４では、運転（ここでは、暖房運転）の開始時に、空調空気を水平方向に吹き出させることができる。このため、空調室内に居る人の不快感を抑えた後に、各風向変更羽根７１ａ、７１ｂ、７１ｃ、７１ｄの風向角度を所望の風向設定（ここでは、要求風向・風量設定、又は、記憶風向・風量設定）に設定することができる。例えば、所望の風向・風量設定が下向きの風向Ｐ３、Ｐ４への設定を含んでいる場合を想定する。この場合において、ステップＳ１２、Ｓ１７における風向・風量設定を行うことなくステップＳ６の所望の風向・風量設定に設定すると、吹出口５６から冷気が下向きに吹き出されて、空調室内に居る人へ不快感を与えるおそれがある。しかし、ステップＳ４における風向・風量設定を行うことによって、吹出口５６から冷気が下向きに吹き出されなくなるため、空調室内に居る人の不快感を抑えることができる。
【０１１７】
また、天井設置型室内ユニット４では、ステップＳ１２、Ｓ１７における風向・風量設定を第３時間又は第４時間が経過するまで継続するようにしている。このため、運転（ここでは、暖房運転）の開始時に、各風向変更羽根７１ａ、７１ｂ、７１ｃ、７１ｄの風向角度が風向Ｐ０に設定された状態が一定時間確保されるため、空調室内に居る人の不快感を確実に抑えることができる。
【０１１８】
また、天井設置型室内ユニット４では、暖房モードにおける運転の開始時に、空調空気を水平方向に吹き出させるだけでなく、室内ファン４１の風量を風量ＬＬに設定することによって空調空気の風量を少なくすることができるため、空調室内に居る人の冷気による不快感を確実に抑えた後に、各風向変更羽根７１ａ、７１ｂ、７１ｃ、７１ｄの風向角度を記憶風向に設定することができる。
【０１１９】
また、天井設置型室内ユニット４では、運転（ここでは、暖房運転）の開始時に風向・風量変更の要求がある場合には、空調室内に居る人の不快感を確実に抑えた後に、要求風向・風量に速やかに設定することができる。より具体的には、運転（ここでは、暖房運転）の開始時における各風向変更羽根７１ａ、７１ｂ、７１ｃ、７１ｄの風向角度が風向Ｐ０に設定され、かつ、室内ファン４１の風量が風量ＬＬに設定された状態を終了した後に、手動による各風向変更羽根７１ａ、７１ｂ、７１ｃ、７１ｄの風向角度及び室内ファン４１の風量、人検知センサ６２による各風向変更羽根７１ａ、７１ｂ、７１ｃ、７１ｄの風向角度及び室内ファン４１の風量、床温度センサ６３による各風向変更羽根７１ａ、７１ｂ、７１ｃ、７１ｄの風向角度及び室内ファン４１の風量、又は、吸入空気温度センサ６１による各風向変更羽根７１ａ、７１ｂ、７１ｃ、７１ｄの風向角度及び室内ファン４１の風量等に速やかに設定することができる。また、運転（ここでは、暖房運転）の開始時に風向・風量変更の要求がない場合には、空調室内に居る人の不快感を確実に抑えた後に、空調室内に居る人の要求に合致すると推測される記憶風向・風量に速やかに設定することができる。しかも、天井設置型室内ユニット４では、風向とともに風量を記憶して、各風向変更羽根７１ａ、７１ｂ、７１ｃ、７１ｄの風向角度とともに送風ファン４１の風量も変更しているため、各風向変更羽根７１ａ、７１ｂ、７１ｃ、７１ｄの風向角度とともに送風ファン４１の風量についても、空調室内に居る人の要求に合致すると推測される風量に容易に設定することができる。
【０１２０】
次に、暖房運転中にリモートコントローラ９９等からの停止要求がされたかどうかを判定する（ステップＳ７）。この判定は、制御手段９１が行う。そして、停止要求がされなかったものと判定された場合には、ステップＳ９の処理に移行する。そして、制御手段９１は、暖房運転中にリモートコントローラ９９等からの運転モードの変更要求がされたかどうか、又は、吸入空気温度Ｔｒが目標空気温度Ｔｒｓに達して暖房サーモオフ状態になっているかどうかを判定する。そして、運転モードの変更要求がされたものと判定された場合、又は、暖房サーモオフ状態になっているものと判定された場合には、ステップＳ１０の処理に移行する。そして、記憶手段９２は、運転モードの変更要求前又は暖房サーモオフ前の風向・風量設定を記憶風向・風量設定として記憶するとともに、運転モードの変更要求前の運転モードを記憶運転モードとして記憶する。その後、ステップＳ２の処理に戻り、運転モードの変更要求（ここでは、暖房モードから冷房モードへの変更要求）があった場合には、後述のステップＳ１１の処理に移行し、暖房サーモオフ状態になっている場合には、吸入空気温度Ｔｒが目標空気温度Ｔｒｓよりも低くなって暖房サーモオン状態になったときに、上記と同様の処理を行う。他方、ステップＳ７において停止要求がされたものと判定された場合には、ステップＳ８の処理に移行する。そして、記憶手段９２は、運転の停止前の風向・風量設定を記憶風向・風量設定として記憶するとともに、停止要求前の運転モードを記憶運転モードとして記憶する。その後、ステップＳ２の処理に戻り、運転モード選択又は運転の開始が要求されるのを待つ状態となる。
【０１２１】
これにより、天井設置型室内ユニット４では、記憶風向・風量を運転モードとともに記憶して、各風向変更羽根７１ａ、７１ｂ、７１ｃ、７１ｄの風向角度及び室内ファン４１の風量の設定に使用しているため、各風向変更羽根７１ａ、７１ｂ、７１ｃ、７１ｄの風向角度及び室内ファン４１の風量を運転モードに応じて適切に設定することができる。
【０１２２】
＜他の実施形態＞
以上、本発明の実施形態について図面に基づいて説明したが、具体的な構成は、これらの実施形態に限られるものではなく、発明の要旨を逸脱しない範囲で変更可能である。
【０１２３】
例えば、上記の実施形態では、吹出口５６（より具体的には、吹出口５６ａ、５６ｂ、５６ｃ、５６ｄ、５６ｅ、５６ｆ、５６ｇ、５６ｈ）が概ね化粧パネル５２の全周にわたって形成された構成に対して、本発明を適用している。しかし、このような構成に限定されず、化粧パネル５２の４角形の各辺に対応する４つの吹出口（すなわち、上記の実施形態における辺部吹出口５６ａ、５６ｂ、５６ｃ、５６ｄ）だけが設けられた構成に対して、本発明を適用してもよい。
【産業上の利用可能性】
【０１２４】
本発明は、それぞれ独立して上下方向の風向角度を変更することが可能な複数の風向変更羽根が吹出口に設けられた空気調和装置の天井設置型室内ユニットに広く適用可能である。
【符号の説明】
【０１２５】
４  天井設置型室内ユニット
９  制御部
４１  室内ファン（送風ファン）
５１  ケーシング
５６、５６ａ、５６ｂ、５６ｃ、５６ｄ、５６ｅ、５６ｆ、５６ｇ、５６ｈ  吹出口
６１  吸入空気温度センサ
６２  人検知センサ
６３  床温度センサ
７１ａ、７１ｂ、７１ｃ、７１ｄ  風向変更羽根
９１  制御手段
９２  記憶手段
【先行技術文献】
【特許文献】
【０１２６】
【特許文献１】特許第３１０８１６３号公報
【図１】
2011153725.tif 000003
【図２】
2011153725.tif 000004
【図３】
2011153725.tif 000005
【図４】
2011153725.tif 000006
【図５】
2011153725.tif 000007
【図６】
2011153725.tif 000008
【図７】
2011153725.tif 000009
【図８】
2011153725.tif 000010
【図９】
2011153725.tif 000011
【図１０】
2011153725.tif 000012
【図１１】
2011153725.tif 000013
【図１２】
2011153725.tif 000014